(57)【要約】【課題】「点光り」の発生を抑えることができる装飾照明装置を提供すること。【解決手段】ＬＥＤ光源２と、該ＬＥＤ光源２に対向する第１入射面３ａと前記ＬＥＤ光源２の光軸Ｘ上に配置された第１反射面３ｂ及び光軸Ｘの両側に配置された第２反射面３ｅを備える導光体３とを含んで構成される装飾照明装置１において、前記導光体３に、前記第１反射面３ｂを前記ＬＥＤ光源２の光軸Ｘと平行に直進して出射した光Ｌ３を再び入射させる第２入射面３ｃを設ける。具体的には、前記導光体３に正面視扇形の貫通孔４を形成し、該貫通孔４のＶ字状を成す二平面を前記第１反射面３ｂとし、同貫通孔４の円弧状の外周面を前記第２入射面３ｃとする。又、前記第２入射面３ｃの側断面形状を円弧凸曲面とし、或いは第２入射面３ｃをローレット又はプリズム形状とする。【選択図】図１
2015222629.tif 000002
【特許請求の範囲】
【請求項１】
ＬＥＤ光源と、該ＬＥＤ光源に対向する入射面と前記ＬＥＤ光源の光軸上に配置された第１反射面及び光軸の両側に配置された第２反射面を備える導光体とを含んで構成される装飾照明装置において、
前記導光体に、前記第１反射面を前記ＬＥＤ光源の光軸と平行に直進して出射した光を再び入射させる第２入射面を設けたことを特徴とする装飾照明装置。
【請求項２】
前記導光体に正面視扇形の貫通孔を形成し、該貫通孔のＶ字状を成す二平面を前記第１反射面とし、同貫通孔の円弧状の外周面を前記第２入射面としたことを特徴とする請求項１記載の装飾照明装置。
【請求項３】
前記第２入射面のＶ字状を成す前記ニ平面を円弧凹曲面又はフラット面で接続したことを特徴とする請求項２記載の装飾照明装置。
【請求項４】
前記第２入射面の側断面形状を円弧凸曲面としたことを特徴とする請求項１〜３の何れかに記載の装飾照明装置。
【請求項５】
前記第２入射面をローレット又はプリズム形状としたことを特徴とする請求項１〜４の何れかに記載の装飾照明装置。
【発明の詳細な説明】
【技術分野】
【０００１】
本発明は、ＬＥＤ光源と導光体を含んで構成される装飾照明装置に関するものである。
【背景技術】
【０００２】
例えば、遊技機や各種アミューズメント等の照明に供される装飾照明装置として、ＬＥＤ光源と導光体（レンズ体）を組み合わせたものが知られている（特許文献１，２参照）。ここで、斯かる装飾照明装置の一例を図７に示す。
【０００３】
即ち、図７は従来の装飾照明装置の正面図であり、図示の装飾照明装置１０１は、ＬＥＤ光源１０２と正面視Ｔ字状を成す導光体１０３を含んで構成されている。ここで、導光体１０３には、ＬＥＤ光源１０２に対向する凸曲面状の入射面１０３ａと、ＬＥＤ光源１０２の光軸Ｘ上に配置されたＶカット状の第１反射面１０３ｂと、光軸Ｘの両側に配置された第２反射面１０３ｅを備えており、各第２反射面１０３ｅにはプリズムカットが施されている。
【０００４】
以上のように構成された装飾照明装置１０１において、ＬＥＤ光源１０２が点灯すると、該ＬＥＤ光源１０２から出射する光は、導光体１０３の入射面１０３ａから該導光体１０３内に入射してＬＥＤ光源１０２の光軸Ｘに平行に進み、第１反射面１０３ｂで直角に反射して左右に水平に進んだ後、第２反射面１０３ｅで再び直角に反射及び屈折して図７にＬ１，Ｌ２にて示すように光軸Ｘと平行に上方に向かって導光体から出射して装飾用の照明に供される。に
【先行技術文献】
【特許文献】
【０００５】
【特許文献１】特開２０１２−０９９４００号公報
【特許文献２】特開２０１２−１５５９０３号公報
【発明の概要】
【発明が解決しようとする課題】
【０００６】
しかしながら、図７に示す装飾照明装置１０１においては、導光体１０３に入射して光軸Ｘ上を直進する光Ｌ３が第１反射面１０３ｂ及び第２反射面１０３ｅで反射しないで直進して出射するため、導光体１０３の中央部が他の部分よりも強く光る「点光り」が発生するという問題がある。この現象は、第１反射面１０３ｂのＶカット頂点の製造限界を主要因とする。
【０００７】
本発明は上記問題に鑑みてなされたもので、その目的とする処は、「点光り」の発生を抑えることができる装飾照明装置を提供することにある。
【課題を解決するための手段】
【０００８】
上記目的を達成するため、請求項１記載の発明は、ＬＥＤ光源と、該ＬＥＤ光源に対向する入射面と前記ＬＥＤ光源の光軸上に配置された第１反射面及び光軸１両側に配置された第２反射面を備える導光体とを含んで構成される装飾照明装置において、前記導光体に、前記第１反射面を前記ＬＥＤ光源の光軸と平行に直進して出射した光を再び入射させる第２入射面を設けたことを特徴とする。
【０００９】
請求項２記載の発明は、請求項１記載の発明において、前記導光体に正面視扇形の貫通孔を形成し、該貫通孔のＶ字状を成す二平面を前記第１反射面とし、同貫通孔の円弧状の外周面を前記第２入射面としたことを特徴とする。
【００１０】
請求項３記載の発明は、請求項２記載の発明において、前記第２入射面のＶ字状を成す前記二平面を円弧曲面又はフラット面で接続したことを特徴とする。
【００１１】
請求項４記載の発明は、請求項１〜３の何れかに記載の発明において、前記第２入射面の側断面形状を円弧凸曲面としたことを特徴とする。
【００１２】
請求項５記載の発明は、請求項１〜４の何れかに記載の発明において、前記第２入射面をローレット又はプリズム形状としたことを特徴とする。
【発明の効果】
【００１３】
本発明によれば、導光体の第１入射面から該導光体に入射した光のうち、第１反射面で反射しないで直進する光は、導光体の外部へと一旦出射した後に第２入射面から導光体内に再び入射し、この第２入射面で拡散した後に導光体外へと出射するため、導光体の中央部が強く光る「点光り」の発生が抑えられる。
【図面の簡単な説明】
【００１４】
【図１】本発明の実施の形態１に係る装飾照明装置の正面図である。
【図２】図１のＡ−Ａ線断面図である。
【図３】本発明の実施の形態２に係る装飾照明装置の導光体の斜視図である。
【図４】本発明の実施の形態２に係る装飾照明装置の正面図である。
【図５】図４のＢ−Ｂ線断面図である。
【図６】本発明の実施の形態２に係る装飾照明装置の変形例を示す正面図である。
【図７】従来の装飾照明装置の正面図である。
【発明を実施するための形態】
【００１５】
以下に本発明の実施の形態を添付図面に基づいて説明する。
【００１６】
＜実施の形態１＞
図１は本発明の実施の形態１に係る装飾照明装置の正面図、図２は図１のＡ−Ａ線断面図であり、本実施の形態に係る装飾照明装置１は、ＬＥＤ光源２と、正面視Ｔ字状を成す導光体３を含んで構成されている。
【００１７】
上記導光体３は、アクリル等の透明樹脂によって正面視Ｔ字状に一体成形されており、該導光体３の上下方向に延びる垂直部３ＡのＬＥＤ光源２に対向する下面は、円弧曲面状の第１入射面３ａを構成している。そして、この導光体３の垂直部３Ａの上端部から左右に水平に延びる水平部３Ｂであって、ＬＥＤ光源２の光軸Ｘ上（左右方向中央部）には、図１に示すように正面視扇形の貫通孔４が形成されている。そして、この貫通孔４のＶ字状を成す二平面は第１反射面３ｂを構成しており、同貫通孔４の円弧状の外周面は第２入射面３ｃを構成している。ここで、第２入射面３ｃの側断面形状は、図２に示すように、円弧凸曲面（Ｒ形状）とされている。又、図１に示すように、第１反射面３ｂを構成するＶ字状の二平面は、円弧凹曲面３ｄによって接続されている。
【００１８】
又、図１に示すように、導光体３の水平部３Ｂの光軸Ｘの左右両側の傾斜した下面は、第２反射面３ｅを構成しており、この第２反射面３ｅにはプリズムカットが施されている。
【００１９】
以上のように構成された装飾照明装置１において、ＬＥＤ光源２が点灯すると、該ＬＥＤ光源２から出射する光は、導光体３の第１入射面３ａから該導光体３内に入射し、導光体３内を図１及び図２の上方へ向かって進み、第１反射面３ｂで直角に反射して左右に水平に進んだ後に第２反射面３ｅで再び直角に反射して上方に向かって進み、図１にＬ１，Ｌ２にて示すように導光体３から出射して装飾用の照明に供される。
【００２０】
又、ＬＥＤ光源２から出射して導光体３の第１入射面３ａから該導光体３内に入射した光のうち、第１反射面３ｂで反射しないでＬＥＤ光源２の光軸Ｘに沿って直進する光は、貫通孔４において導光体３の外部に一旦出射した後、第２入射面３ｃから導光体３内に再び入射するが、図１及び図２にＬ３にて示すように第２入射面３ｃにおいて左右及び前後（図２の左右）に拡散して導光体３から出射する。このため、導光体３の中心部が他の部分よりも強く光る「点光り」の発生が効果的に抑えられる。
【００２１】
＜実施の形態２＞
次に、本発明の実施の形態２を図３〜図５に基づいて説明する。
【００２２】
図３は本発明の実施の形態２に係る装飾照明装置の導光体の斜視図、図４は同装飾照明装置の正面図、図５は図４のＢ−Ｂ線断面図であり、これらの図においては、図１及び図２において示したものと同一要素には同一符号を付しており、以下、それらについての再度の説明は省略する。
【００２３】
本実施の形態に係る装飾照明装置１’は、導光体３の第２入射面３ｃをローレット又はプリズム形状としたことを特徴としており、他の構成は前記実施の形態１に係る装飾照明装置１のそれと同じである。
【００２４】
而して、本実施の形態に係る装飾照明装置１’においても、ＬＥＤ光源２から出射して導光体３の第１入射面３ａから該導光体３内に入射した光のうち、第１反射面３ｂで反射しないでＬＥＤ光源２の光軸Ｘに沿って直進する光は、貫通孔４において導光体３の外部に一旦出射した後、第２入射面３ｃから導光体３内に再び入射するが、図４及び図５にＬ３にて示すように第２入射面３ｃにおいて左右及び前後（図５の左右）に拡散して導光体３から出射する。ここで、本実施の形態では、導光体３の第２入射面３ｃはローレット又はプリズム形状とされているため、光が第２入射面３ｃにて一層効果的に拡散する。このため、導光体３の中心部が他の部分よりも強く光る「点光り」の発生がより一層効果的に抑えられる。
【００２５】
尚、本実施の形態では、導光体３の第２入射面３ｃのＶ字状を成す二平面を円弧凹曲面３ｄによって接続したが（図３及び図４参照）、図６に示すように、第２入射面３ｃのＶ字状を成す二平面を水平なフラット面３Ｆによって接続しても良い。又、本実施の形態では、第２入射面３ｃの側断面形状は、円弧凸（Ｒ形状）の他、凹凸無しの形状でも構わない。更に、円弧凸形状の頂部を偏心させることによってパーティングラインと光軸中心の交差を避ける構造としても構わない。
【符号の説明】
【００２６】
１，１’    装飾照明装置
２          ＬＥＤ光源
３          導光体
３Ａ        導光体の垂直部
３Ｂ        導光体の水平部
３ａ        導光体の第１入射面
３ｂ        導光体の第１反射面
３ｃ        導光体の第２入射面
３ｄ        導光体の円弧凹曲面
３ｅ        導光体の第２反射面
３ｆ        導光体のフラット面
４          導光体の貫通孔
Ｌ１〜Ｌ３  光
Ｘ          ＬＥＤ光源の光軸
【図１】
2015222629.tif 000003
【図２】
2015222629.tif 000004
【図３】
2015222629.tif 000005
【図４】
2015222629.tif 000006
【図５】
2015222629.tif 000007
【図６】
2015222629.tif 000008
【図７】
2015222629.tif 000009